(57)【特許請求の範囲】
【請求項１】
制御手段と、少なくとも１つのステッピング・モータによって駆動される、通常表示位置にあるときに時刻を表示する短針および長針と、周期を示す信号を計数して時刻を表す計数値を与える第１グループの複数のカウンタを含むとともに、前記制御手段への操作に応答して分リピータ機能を開始させる電子回路とを備える分リピータ付き時計において、前記電子回路には、
前記第１グループの複数のカウンタに対応して設けられた第２グループの複数のカウンタであって短針および長針の位置を決める第２グループの複数のカウンタを備え、この第２グループの複数のカウンタは、前記第１グループの複数のカウンタとの計数値における同期がとられている通常の状態では、前記周期を示す信号の計数を行い、前記第２グループの複数のカウンタに従って短針および長針それぞれの位置決めが行われることによって、短針および長針が時刻の表示をする通常表示位置となるよう構成されており、
前記第２グループの複数のカウンタは、前記制御手段の操作に応答して、前記第１グループの複数のカウンタとの同期を外されて、短針および長針の基準位置を示す状態に設定することができ、それによって短針および長針を前記基準位置へと移動させることができ、
前記第２のグループの複数のカウンタのそれぞれの計数値と、前記第１のグループの複数のカウンタの対応するカウンタの計数値との比較をする、複数の比較器を備え、前記制御手段への前記操作で同期が外された結果として、前記比較の結果が不一致になると、短針および長針が前記基準位置から前記通常表示位置へと戻されるように、前記第２のグループの複数のカウンタはカウンタ毎に順次に位置を戻す計数動作をさせられ、それに応じて短針および長針は特徴的な動作を行い、
前記第２のグループのカウンタ毎の前記位置を戻す計数動作に応じて異なる音響信号を発生する手段を備える
ことを特徴とする分リピータ機能付き時計。
【請求項２】
前記基準位置は前記短針と長針が０を指す位置であり、時刻が音響信号によって表され得ることを特徴とする請求項１に記載の時計。
【請求項３】
前記基準位置は前記短針および長針が予めプログラムされたアラーム時間を指す位置であり、アラーム時間までの残り時間が音響信号によって表され得ることを特徴とする請求項１に記載の時計。
【請求項４】
前記第１のグループのカウンタは時間を計数するカウンタと分を計数するカウンタとを含み、前記第２のグループのカウンタは、それらの時間を計数するカウンタと分を計数カウンタに対応する２つのカウンタを含み、前記音響信号は時間を表す音響信号と分を表す音響信号を含んでいる、ことを特徴とする、請求項１〜３の何れか１項に記載の時計。
【請求項５】
前記第１のグループのカウンタは時間を計数するカウンタと１／４時間を計数するカウンタおよび分を計数するカウンタを含み、前記第２のグループのカウンタは、それらの時間を計数するカウンタと１／４時間を計数するカウンタおよび分を計数カウンタに対応する３つのカウンタを含み、前記音響信号は時間を表す音響信号と１／４時間を表す音響信号および分を表す音響信号を含んでいる、ことを特徴とする、請求項１〜３の何れか１項に記載の時計。
【請求項６】
短針および長針の特徴的な動作として、短針にあっては時間を表す音響信号の発生ごとに１時間ジャンプを行い、長針にあっては、１／４時間を表す音響信号の発生ごとに１５分ジャンプを、分を表す音響信号の発生ごとに１分ジャンプをそれぞれ行う、ことを特徴とする、請求項５に記載の時計。
【発明の詳細な説明】
【０００１】
【産業上の利用分野】
本発明は分リピータ機能付き時計に関する。
【０００２】
【従来の技術】
携帯時計において分リピータ機能を作り出すことは、時間と分の係数手段およびこれら時間と分の係数手段に関係して音響信号を発生する手段が電子回路の中に設けられている限り、これまで重大な問題とはならなかった。
【０００３】
【発明が解決しようとする課題】
しかし、出力された前記の信号が、従来の携帯時計製造において用いられる暖かく鋭敏な時報音と遠い関係しかもっていないならば、この種の機能は、その魅力的な良い部分を喪失することとなる。
本発明の目的とするところは、古いスタイルで分リピータを作り直すことでなく、この種の機能に対し使用者に魅力的なオリジナルな特徴を与える近代技術の可能性を利用することにある。
【０００４】
【課題を解決するための手段】
そこで本発明の分リピータ機能付き時計は、制御手段と、少なくとも時間および分の計数手段を有する電子回路と、少なくとも一個のステッピングモータによって駆動される表示手段と、前記時間および分の計数手段に関連し、前記制御手段の適宜な操作に応答して音響信号を発生する手段とを有する分リピータ機能付き時計であって、前記電子回路は、前記表示手段に前記音響信号に関係して特徴的な動作を行わせる。
【０００５】
本発明の有利な点や特徴は、非制限的な例によって与えられる本発明の分リピータ携帯時計の実施例についての次の記載を読めば明らかになろう。なお、これは添付の図面に関連付けられて記載される。
【０００６】
【実施例】
図１は、ダイヤルＣの上を動く短針１と長針２とを単に具備する本発明に基づく分リピータ機能付き携帯時計Ｍの平面図を示している。携帯時計Ｍは、両針１、２を駆動するステッピングモータ、時間および分の計数手段並びにこれら計数手段と関連して異なる音響信号を発生する手段を具備する電子回路とを有する。
【０００７】
短針１と長針２とによる時刻および分表示に関連付けるために、針は内部の時間および分計数手段と同期させられなければならない。このことは、これら２つのシステムの間に事前初期化がなされて初めて可能である。両方の時計の針を手動で０または１２時の位置にもってきて、それから、例えば、ここでは２つの押しボタン３、４で示される制御手段を適当に操作して、初期化信号を与えることにより、この初期化が実行される。さらに、これら２つの押しボタン３、４は時間調整操作を実行するために用いられる。もし両方の時計の針と内部計数手段との間の位相ずれを回避したいと望むならば、これらの操作は完全に電子的な方法で実行されなければならないということが留意されるであろう。前記分リピータ機能は、押しボタン３、４の適宜な操作によって始められる。
【０００８】
両方の時計の針と内部計数手段との同期は、両方の時計の針の位置を恒久的に制御すること、特に時刻表示に対応する位置を一時的に離れ、引き続いてその位置に戻ることを可能にする。そこで、この分リピータ機能を通じて、両方の時計の針の特徴的な動作を、電子回路で発生させる色々な種類の音響信号に関連づけることが可能となる。１時間を知らせる音と、１／４時間を知らせる音と、１分を知らせる音とにそれぞれ対応して、３種類の音響信号が一般的に用意される。
【０００９】
ステッピングモータは往復動タイプのもので、図１の長針の往復動作を起こさせることができる。これら往復動作は、１時間を知らせる音と、１／４時間を知らせる音と、１分を知らせる音とにそれぞれ対応して、例えば、３種類の大きさ（振幅）をもつものとされる。
【００１０】
図１で示されるように、表示された時間が４時４８分である例の場合において、押しボタン３、４によって分リピータ機能が操作されると、４回の１時間を知らせる音に対応した４回の大きな振幅の動作と、３回の１／４時間を知らせる音に対応した３回の中くらいの振幅の動作と、３回の１分を知らせる音に対応した３回の小さな振幅の動作とが生起される。
【００１１】
１個のモータしかないために、動作の種々の可能性に制限を与えている。その実施例においては、短針１と長針２とは、互いに独立しており、それぞれの自身のモータで駆動されている。それ故、この実施例によれば、図２Ａで示されるように、分リピータ機能が作動されると、１秒の間に、両方の時計の針を時刻を表わしている位置から０にもってくることが可能となる。
【００１２】
そして、図３で示される電子回路により発生される音響信号に関連する一連の動作によって、両方の時計の針をそれらの元の位置にもってくること（すなわち、携帯時計をリセットすること）が可能となる。
【００１３】
図２Ｂにおいては、電子回路により発生された４回の１時間を知らせる音に対応し、それぞれａ、ｂ、ｃ、ｄで参照される４回の１時間ジャンプにより、位置０からの短針１の移動が示されている。図２Ｃにおいては、３回の１／４時間を知らせる音に対応し、それぞれｅ、ｆ、ｇで参照される３回の１５分ジャンプにより、位置０からの長針２の移動が示されている。最後に、図２Ｄにおいては、３回の１分を知らせる音に対応し、それぞれｈ、ｊ、ｋで参照される３回の１分ジャンプにより、最後の位置からの長針２の移動が示されている。この動作において、短針１および長針２は、元の位置に戻り、正しい時刻を表示する。
【００１４】
もちろん、このプロセスを逆転すること、すなわち、音響信号に関連した動作により短針１および長針を位置０にもってくること、およびその数秒後に両方の時計の針を正しい時刻表示に戻すことが可能である。
【００１５】
図３は、図２Ａ−２Ｄの携帯時計の電子回路の一部に対するブロックダイヤグラムを示している。時間および分計数手段は、複数のカウンタの第１のグループからなること、すなわち、１時間を１２まで計数するカウンタ１１と、１／４時間を４まで計数するカウンタ１２と、１分を１５まで計数するカウンタ１３とからなることがまず分かる。
【００１６】
さらにこの電子回路は、前述のグループと同じように構成された複数のカウンタの第２のグループ、すなわち、それぞれ１４、１５、１６で参照される１２計数、４計数、１５計数のカウンタを有する。カウンタ１１、１２、１３からなる第１のグループは、それぞれ１７、１８、１９で参照される３つの比較器を経てカウンタ１４、１５、１６からなる第２のグループに接続されている。この場合、３つの比較器は、入力が同一でないとき、出力端に論理信号１をそれぞれ出力する。２つのグループのカウンタ１１、１２、１３とカウンタ１４、１５、１６とは、それぞれの入力端Ｅ１１、Ｅ１２、Ｅ１３、Ｅ１４、Ｅ１５、Ｅ１６に１分の周期を示す信号２０を受信する。したがって、２つのグループのカウンタ１１、１２、１３とカウンタ１４、１５、１６は、通常において同期がとられ、それらの内容は同一となっている。
【００１７】
カウンタ１４、１５、１６の出力Ｓ１４、１５、１６は、２つの相関テーブル２１、２４に連結される。第１のテーブル２１は、カウンタ１４、１５、１６の状態を示す関数としてダイアルＣの上の短針の位置を確定する。このテーブル２１は、短針１がテーブル２１によって決定される位置に到達するまで駆動パルスをモータ２３（例えばステッピングタイプのもの）に供給する回路２２に接続されていて、ダイヤルＣ上の短針１を位置決めする。
【００１８】
同様に、第２のテーブル２４は、カウンタ１４、１５、１６の状態を示す関数としてダイアルＣの上の長針の位置を確定する。このテーブル２４は、長針２がテーブル２４によって決定される位置に到達するまで駆動パルスをモータ２６に供給する回路２５に接続されていて、ダイヤルＣ上の長針１を位置決めする。
【００１９】
カウンタ１４、１５、１６からなるグループが０にリセットされている場合に、時間カウンタ１４に関連してなにが発生するかを、図２Ａ−２Ｄを参照しつつ考えてみよう。比較回路１７の出力Ｓ１７は、等しくない信号、すなわち１を送出する。出力Ｓ１７は、第２の入力端に秒信号２８を受信するＡＮＤゲート２７の第１の入力端に渡される。次に、ＡＮＤゲートからの信号は、カウンタ１４の相補入力端ＥＣ１４に送られ、同時に時間信号の発生器２９の入力端にも送られる。この発生器の出力端は、その出力が小型ラウドスピーカ４０に供給されるＯＲゲート３９の第１の入力端に接続される。このように、秒信号２８の各パルスに対応して、カウンタ１４は、１ステップずつインクリメントされ、音響時間信号が発生される。秒信号の４パルス後に、カウンタ１４の内容は、カウンタ１１の内容と再び同じになり、前記プロセスは中断される。
【００２０】
比較器１７の出力は、１を送出することにより、インバータ３２を介して、ＡＮＤゲート３３を閉じるとともに、ＡＮＤゲート３４を介してＡＮＤゲート３５を閉じる。このように、ＡＮＤゲート３３、３４、３５は、カウンタ１４が最初に正され、次にカウンタ１５が、最後にカウンタ１６が正されるように優先性を決めている。
【００２１】
カウンタ１４の内容がカウンタ１１の内容と再び同一となると、比較器１７の出力Ｓ１７は、０に戻り、インバータ３２の出力は１に戻る。インバータ３２の出力は、ＡＮＤゲート３３、３５の入力端に与えられる。カウンタ１５、１２の内容が同一でないので、比較器１８、１９の出力Ｓ１８、Ｓ１９は１であり、インバータ３６の出力は０となる。結果として、ＡＮＤゲート３５は閉じられたままであり、一方、ゲート３３は開かれ、秒信号２８がカウンタ１５の相補入力端ＥＣ１５と、それの出力がＯＲゲート３９の第２の入力端、したがってラウドスピーカ３１に与えられるところの、１／４時間信号を発生する第２の発生器３７の入力端とに与えられるのを許可する。秒信号２８の各パルスに対応して、カウンタ１５は１ステップずつインクリメントされ、音響１／４時間信号が発生される。秒信号の３パルス後に、カウンタ１５の内容は、カウンタ１２の内容と再び同一となり、前記プロセスは中断される。
【００２２】
最後に、カウンタ１５、１２の内容は同一で、カウンタ１６、１３の内容はまだ同一でないとき、インバータ３２、３６の出力は１となり、ＡＮＤゲート３４の出力を１にさせる。さらに、比較器１９の出力Ｓ１９は１であるので、ＡＮＤゲート３５は、秒信号２８がカウンタ１６の相補入力端ＥＣ１６と、分信号を発生し、それら信号をＯＲゲート３９を経てラウドスピーカ４０に供給する第３の発生器３８の入力端とに与えられるのを許可する。秒信号の各パルスに対応して、カウンタ１６は、１ステップずつインクリメントされ、音響分信号が発生される。３個の秒信号パルスの後に、カウンタ１６の内容は、カウンタ１３の内容と再び同一となり、２つのグループのカウンタは、それぞれ完全に同一となるので、このプロセスは、最終的に中断され、短針１および長針２が、元の位置に戻り、再び正しい時刻を表示しているのが見られることとなる。
【００２３】
１時間と、１／４時間と、１分とを表わす音響による信号は、使用者が問題なくそれらを認識できるように、良好に聞き分けられなければならないことは明らかである。
【００２４】
図４、５を参照すれば、本発明に基づいて独立した複数のモータで駆動される２本の時計の針を有する分リピータ機能付き携帯時計の第２の実施例が示されている。同様な部材には同じ数字の参照記号が付けられている。
【００２５】
この第２の実施例の重要な特徴によると、携帯時計Ｍは、アラーム機能を有するとともに、プログラムされたアラーム時間までに残存している時間を音響による方法で表わすことを、本発明に従ってできる。
【００２６】
図１、３に関連して前述された実施例において、複数の押しボタンが適宜な方法で操作されるとき、出射される音響信号に関連する両方の時計の針の特徴的動作の性質と数とは、押しボタンが操作される瞬間、すなわち、それらが標準時間Ｔｎおよび２つの時計の針が０にある基準位置ならびに式がＴｎ−０＝Ｔｎであることを示す瞬間において、両方の時計の針の間の位置の差を明らかにする。
【００２７】
さて、この原理は、前記基準位置が０とは異なり、例えば、プログラムされたアラーム時間に等しい別の構成においても適用できる。
【００２８】
この実施例による２４時間アラームの場合には、特徴的である調性（tonality）を有する追加的である所謂１２時間打ちが追加されなければならない。この１２時間打ちは短針の完全な一周に対応する。
【００２９】
事前にプログラムされたアラーム時間の前に時間の音響的表示が可能な本発明の第２の実施例に対する一つの実行例が、図４Ａ−４Ｃに関連して以下に記載される。
【００３０】
この例においては、時刻は１２時５４分であり、プログラムされたアラーム時間は０３時４２分である。時刻とアラーム時間との差は１２時間以上であるので、１２時間打ちが動作できるであろう。
【００３１】
押しボタン３、４が適宜な方法で操作されると、１２時間打ちが発生される。この１２時間打ちと同時に、短針１は時刻を表わす位置から、参照符号ｌ（エル）で示された完全な一周を行なう。それから、それぞれｍ、ｎで符号が付けられた２回の時間ジャンプの短針１の移動が伴なった２回の時間を知らせる音と、それぞれｏ、ｐ、ｑで符号が付けられた３回の１／４時間ジャンプの長針２の移動が伴なった３回の１／４時間を知らせる音と、最後に、それぞれｒ、ｓ、ｔで符号が付けられた３回の１分ジャンプの長針２の移動が伴なった３回の１分を知らせる音とが発生される。これらの時間を知らせる音は、１４時間４８分を表わすとともに、その時間はアラームが起動されるまで維持される。
【００３２】
本発明の携帯時計の第２の実施例の電子回路の一部のブロックダイヤグラムが図５に示されている。
【００３３】
第２の実施例の制御回路は、アラーム時間を格納し、それぞれ１５、４、１２を計数するカウンタである３つの追加されたアラームカウンタ４０、４１、４２を有する点で、図３の制御回路から区別される。さらに、第２の実施例の制御回路は、カウンタ１４、１５、１６がプリセットタイプのカウンタ、すなわち、イニシャル時に予め定められた値が導入可能になっている入力を有するカウンタに置き換えられている点や、アラームカウンタ４０、４１、４２が、カウンタ１４、１５、１６のプリセット入力にそれぞれ接続されている点でも図３の制御回路から区別される。
【００３４】
さらに、カウンタ１１、１４の内容およびカウンタ１２、１５の内容の比較器１７、１８、１９による比較の瞬間における前記回路の正しくない操作を防ぐために、比較器１７から比較器１８へのキャリーと、比較器１８から比較器１９へのキャリーとが導入されている。カウンタ１３の内容がカウンタ１６の内容よりも少ないときは、カウンタ１２の内容から１が減算され、カウンタ１２の内容がカウンタ１５の内容よりも少ないときは、カウンタ１１の内容から１が減算されなければならず、そして前記比較器に関してのみ、１／４時間または分について減算された値をカウンタ１２及び／又は１３の値に繰り上げることを忘れずに行なわれ、このキャリーは、それぞれ比較器１７、１８の間と、比較器１８、１９の間との接続部Ｌ１、Ｌ２によって表わされている。
【００３５】
したがって、押しボタン３、４が適宜な方法で操作されると、アラームカウンタ４０、４１、４２の内容は、カウンタ１４、１５、１６に移され、それぞれカウンタ１１、１２、１３の内容と比較される。換言すれば、アラーム時間は、時刻から減算されなければならず、差分としての結果は、この結果を、時間を知らせる音及び／又は分リピータ機能の動作に繋げるために、１時間、１／４時間、１分に全て置き換えられなければならない。
【００３６】
例えば、もしも時刻が１１時間４２分であるならば、時間カウンタ１１、１２、１３は、それぞれ値１１、２、１２を内容とし、アラーム時間が１０時５８分であるならば、カウンタ１４、１５、１６への移送の後に、アラームカウンタは、それぞれ値１０、３、１３を内容としている。カウンタ１３の内容は、カウンタ１６の内容よりも少ないので、カウンタ１２の内容から１が減算され、カウンタ１２の内容が、カウンタ１５の内容よりも少ないので、カウンタ１１の内容から１が減算される。この場合、これらの２つの減算は、前記比較器のみに関して、それぞれカウンタ１３と１４への１５と４のキャリーに伴われるということは言うまでもない。そこで、前記減算は次のようである。
【００３７】
0003672358.tif 000002
【００３８】
時刻の減算の結果Ｃとその結果としてアラーム時間の前の状態にとどまっている時刻が、１時間、１／４時間、１分の形で与えられる。この例の場合、携帯時計の電子回路は、１時間を知らせる音は発生せず、２回の１／４時間を知らせる音と、１４回の１分を知らせる音とを発生する。もちろん、１２時間アラームの場合、１２時間打ちは省略され、上述原理は同じままに保たれる。
【００３９】
有利な他の実施例によれば、制御回路は、アラーム機能がオフされるとき、時間に関する音はオフされ、時計の針の特徴的な動作のみが、押しボタンの操作に応じて制御されるように改作することは可能である。これとは逆に、アラーム機能がオンされるとき、時計の針の運動は、押しボタンの操作に応じる時間を知らせる音に関連づけられている。このように、アラームのオン／オフ状態の制御は、魅力的な方法で確保されている。
【００４０】
さらに、１５分のジャンプよりも、分の計数を容易にさせる６分のジャンプを用いることもできる。
【００４１】
もう一つの実施例によれば、制御回路は、時計の針の回転方向を変えることにより、前記工程を逆にするように改作できる。この場合、短針および長針は、まず最初にアラーム時間、すなわち０３時４２分を表わすように動かされ、その後、対応する時間に関する音を発生しつつ、前記時刻に戻される。この例は、アラーム時間が直ちにチェックできる有利な点を有する。
【図面の簡単な説明】
【図１】  分針が異なるタイプの音響信号に関連して前後動作をする分リピータ付き時計の実施例を示す図である。
【図２】  Ａ、Ｂ、Ｃ、Ｄは、本発明に係る分リピータを有する時計の第１実施例を示す図であって、短針と長針との連続する動作を表わしている。この場合、長針は命令信号に基づいて、まず最初に位置０（１２時の位置）来て、それから両方の時計の針は、異なるタイプの音響信号に関連する動作により元の位置に戻る。
【図３】  図２のＡ〜Ｄに示す時計の電子回路の一部を示すブロックダイヤグラムである。
【図４】  Ａ、Ｂ、Ｃは、本発明の分リピータ付き時計の第２の実施例を示す図であって、時計はアラーム機能付きで用いられている。
【図５】  図４のＡ、Ｂ、Ｃに示す時計の電子回路の一部を示すブロックダイヤグラムである。
【符号の説明】
１    短針、  ２    長針、  ３    押しボタン、  １１、１２、１３、１４、１５、１６    カウンタ、  １７、１８、１９    比較器、
２１、２４    相関テーブル、  ２２、２５    回路、
２３、２６    モータ、  ２７、３３、３４、３５    ＡＮＤゲート、
２９、３７、３８    信号の発生器、  ３１    小型ラウドスピーカ、
３２、３６    インバータ、  ３９    ＯＲゲート。
【図１】
0003672358.tif 000003
【図２】
0003672358.tif 000004
【図３】
0003672358.tif 000005
【図４】
0003672358.tif 000006
【図５】
0003672358.tif 000007